(57)【要約】  制御部（１３）は、携帯電話端末（１）が有する電話機能部（１１）を用いて遠隔操作が許可される所定の通話相手との間で電話が開始されたことを条件として、携帯電話端末（１）に対する外部からの遠隔操作を受け付け可能とするように遠隔操作機能部（１２）を制御する。また、制御部（１３）は、所定の通話相手との電話が終了したことを条件として、遠隔操作機能部（１２）による遠隔操作の受け付けを停止する。これにより、例えば、携帯電話端末に対する遠隔操作の開始及び停止をユーザーの手を過度に煩わすことなく適切に行うことができる。
2012157165.tif 000002
【特許請求の範囲】
【請求項１】
携帯電話端末であって、
無線通信手段と、
前記無線通信手段を介して少なくとも音声による電話を行う電話機能手段と、
前記携帯電話端末に対する外部からの遠隔操作を受け付ける遠隔操作機能手段と、
前記遠隔操作が許可される所定の通話相手との間で前記電話機能手段を用いた電話が開始されたことを条件として前記遠隔操作を受け付け可能とし、前記所定の通話相手との電話が終了したことを条件として前記遠隔操作の受け付けを停止するように、前記遠隔操作機能手段を制御する制御手段と、
を備える、
携帯電話端末。
【請求項２】
前記制御手段は、前記電話機能手段の通話相手の識別情報を参照することによって、前記電話機能手段の通話相手が前記所定の通話相手であるか否かを判定する、請求項１に記載の携帯電話端末。
【請求項３】
前記識別情報は、電話番号を含み、
前記遠隔操作が許可されるか否かを示す許可情報を電話番号と関連付けて記憶する電話帳データ記憶手段をさらに備え、
前記制御手段は、前記電話機能手段による通話相手の電話番号が、前記遠隔操作が許可されることを示す前記許可情報と関連付けて前記電話帳データ記憶手段に記録されている場合に、前記電話機能手段の通話相手が前記所定の通話相手であると判定する、
請求項２に記載の携帯電話端末。
【請求項４】
前記制御手段は、
前記遠隔操作を受け付けるためのコンピュータプログラムを起動して前記コンピュータプログラムを実行可能状態とすることによって、前記遠隔操作を受け付け可能とし、
前記コンピュータプログラムをプロセッサ資源の割り当てが行われない休止状態とすることによって、前記遠隔操作の受け付けを停止する、
請求項１〜３のいずれか１項に記載の携帯電話端末。
【請求項５】
携帯電話端末による遠隔操作機能の開始制御方法であって、
前記携帯電話端末が有する電話機能手段を用いて前記遠隔操作が許可される所定の通話相手との間で電話が開始されたことを条件として、前記携帯電話端末に対する外部からの遠隔操作を受け付け可能とすること、及び
前記所定の通話相手との電話が終了したことを条件として前記遠隔操作の受け付けを停止すること、
を備える遠隔操作機能の開始制御方法。
【請求項６】
前記電話機能手段の通話相手の識別情報を参照することによって、前記電話機能手段の通話相手が前記所定の通話相手であるか否かを判定することをさらに備える、請求項５に記載の方法。
【請求項７】
前記識別情報は、電話番号を含み、
前記所定の通話相手であるか否かを判定することは、前記電話機能手段による通話相手の電話番号が、前記遠隔操作が許可されることを示す許可情報と関連付けて前記携帯電話端末が有する電話帳データに記録されている場合に、前記電話機能手段の通話相手が前記所定の通話相手であると判定することを含む、請求項６に記載の方法。
【請求項８】
前記遠隔操作を受け付け可能にすることは、前記遠隔操作を受け付けるためのコンピュータプログラムを起動して前記コンピュータプログラムを実行可能状態とすることを含み、
前記遠隔操作の受け付けを停止することは、前記コンピュータプログラムをプロセッサ資源の割り当てが行われない休止状態とすることを含む、
請求項５〜７のいずれか１項に記載の方法。
【請求項９】
請求項５〜８のいずれか１項に記載の方法をコンピュータに行わせるためのプログラムが格納された非一時的なコンピュータ可読媒体。
【発明の詳細な説明】
【技術分野】
【０００１】
本発明は、外部からの遠隔操作を受け付ける機能を有する携帯電話端末、携帯電話端末による遠隔操作機能の開始制御方法、及び非一時的なコンピュータ可読媒体に関する。
【背景技術】
【０００２】
携帯電話端末を遠隔操作する遠隔操作システムが知られている（例えば特許文献１を参照）。遠隔操作システムを用いることによって、携帯電話端末又は携帯電話端末にインストールされたアプリケーションプログラムの設定及び操作を遠隔地の端末から行うことができる。このため、遠隔操作システムは、携帯電話端末の操作に不慣れなユーザーを遠隔地のオペレータが支援する「遠隔サポート」に使用することができる。【０００３】
ここで、本明細書で使用する用語の定義について述べる。本明細書における「携帯電話端末」との用語は、電話機能のみ又は電話及びＳＭＳ（Short Message service）のみをサポートするベーシックな携帯電話端末（いわゆるベーシックフォン）、フィーチャーフォン、スマートフォン、及び電話機能を有するタブレットＰＣ（Personal Computer）等を含む。また、本明細書における「遠隔操作」及び「遠隔サポート」との用語は、遠隔地の携帯電話端末に対する入力操作を行うこと、遠隔地の携帯電話端末の表示画面をモニタすること、遠隔地の携帯電話端末に記憶された設定内容を変更すること、遠隔地の携帯電話端末のメモリにデータを転送すること、のうち少なくとも１つを含む。また、本明細書では、携帯電話端末に対する遠隔操作を行う端末を「サポート端末」と呼ぶ。また、本明細書では、携帯電話端末及びそのユーザーに対する遠隔サポートを行う遠隔地のオペレータを「サポーター」と呼ぶ。
【先行技術文献】
【特許文献】
【０００４】
【特許文献１】特開２００９−２３２３５９号公報
【特許文献２】国際公開第２００８／１５２７２５号
【発明の概要】
【発明が解決しようとする課題】
【０００５】
本願の発明者等は、携帯電話端末に対する遠隔サポートを行う場合に、以下に述べる問題があることを見出した。携帯電話端末は、遠隔サポートを受ける間だけ選択的にサポート端末による遠隔操作を受け付け可能な状態とすることが望ましい。携帯電話端末が遠隔操作を受け付け可能な状態を常に維持すると、不正な接続を受ける危険性が高まるためである。したがって、ユーザーは、遠隔サポートを利用する際に、遠隔操作の受け付けを開始するための操作を携帯電話端末に行う必要がある。例えば、携帯電話端末が遠隔操作を受け付け可能な状態は、遠隔操作用アプリケーションプログラムの実行によって実現される。この場合、ユーザーは、遠隔サポートを利用するために、遠隔操作用アプリケーションプログラムの起動操作を携帯電話端末に対して行う必要がある。【０００６】
しかしながら、遠隔サポートの場合、サポーターによる遠隔操作は、ユーザーとサポーターの間で電話による会話をしながら行われることが多い。このため、ユーザーは、携帯電話端末を用いたサポーターとの電話中に、さらに遠隔サポートを開始するための端末操作を行う必要がある。しかしながら、遠隔サポートを必要とするユーザーは、一般的に情報リテラシーが高くないことが想定される。そのようなユーザーにとっては、携帯電話端末を用いた電話中にさらに携帯電話端末を操作することは直感的に理解しづらい。このため、例えば、誤操作によってサポーターとの通話を終了してしまう可能性がある。【０００７】
ところで、特許文献２は、呼制御装置が、音声端末と音声以外の付加サービスを提供する付加サービス端末とを関連付けて登録しておくことを開示している。付加サービスは、音声以外のサービスであり、例えば、文字情報を送受信するチャットサービス、又はビデオサービスである。特許文献２の呼制御装置は、２つの音声端末の間で通話が開始されたことに応じて、これらの音声端末に関連付けられた２つの付加サービス端末に対してトリガ信号を送信し、音声通話と連動した付加サービスの開始を要求する。しかしながら、特許文献２は、本来的に音声通話との連動性を持たない携帯電話端末に対する遠隔操作の受け付け開始を携帯電話端末による音声通話と連動させることについて何ら開示していない。【０００８】
本発明は、本願の発明者等による上述した知見に基づいてなされたものであって、携帯電話端末に対する遠隔操作の開始及び停止をユーザーの手を過度に煩わすことなく適切に行うことが可能な携帯電話端末、携帯電話端末による遠隔操作機能の開始制御方法、及びプログラムの提供を目的とする。
【課題を解決するための手段】
【０００９】
本発明の第１の態様は、携帯電話端末を含む。当該携帯電話端末は、無線通信部、電話機能部、遠隔操作機能部、及び制御部を有する。前記電話機能部は、前記無線通信部を介して少なくとも音声による電話を行うことができるよう構成されている。前記遠隔操作機能部は、前記携帯電話端末に対する外部からの遠隔操作を受け付けることができる。前記制御部は、前記遠隔操作が許可される所定の通話相手との間で前記電話機能部を用いた電話が開始されたことを条件として前記遠隔操作を受け付け可能とし、前記所定の通話相手との電話が終了したことを条件として前記遠隔操作の受け付けを停止するように、前記遠隔操作機能部を制御する。【００１０】
本発明の第２の態様は、携帯電話端末による遠隔操作機能の開始制御方法を含む。当該方法は、以下のステップ（ａ）及び（ｂ）を含む。
（ａ）前記携帯電話端末が有する前記電話機能部を用いて前記遠隔操作が許可される所定の通話相手との間で電話が開始されたことを条件として、前記携帯電話端末に対する外部からの遠隔操作を受け付け可能とすること、及び
（ｂ）前記所定の通話相手との電話が終了したことを条件として前記遠隔操作の受け付けを停止すること。【００１１】
本発明の第３の態様は、コンピュータプログラムを含む。当該プログラムは、上述した本発明の第２の態様に係る方法をコンピュータに行わせるためのプログラムである。
【発明の効果】
【００１２】
上述した本発明の各態様によれば、携帯電話端末に対する遠隔操作の開始及び停止をユーザーの手を過度に煩わすことなく適切に行うことが可能な携帯電話端末、携帯電話端末による遠隔操作機能の開始制御方法、及びプログラムを提供できる。
【図面の簡単な説明】
【００１３】
【図１】本発明の実施の形態１に係る遠隔操作システムの構成例を示す図である。
【図２】本発明の実施の形態１に係る携帯電話端末の構成例を示すブロック図である。
【図３】本発明の実施の形態１に係る携帯電話端末による遠隔操作機能の開始手順の具体例を示すフローチャートである。
【図４】本発明の実施の形態１に係る携帯電話端末による遠隔操作機能の停止手順の具体例を示すフローチャートである。
【図５】本発明の実施の形態１に係る携帯電話端末の構成例を示すブロック図である。
【図６】本発明の実施の形態２に係る携帯電話端末の構成例を示すブロック図である。
【図７】電話帳データの具体例を示す図である。
【図８】本発明の実施の形態２に係る携帯電話端末による遠隔操作の受け付け手順の具体例を示すフローチャートである。
【図９】遠隔操作によって携帯電話端末に記録されるデータの一例を示す図である。
【発明を実施するための形態】
【００１４】
以下では、本発明を適用した具体的な実施の形態について、図面を参照しながら詳細に説明する。各図面において、同一又は対応する要素には同一の符号が付されており、説明の明確化のため、必要に応じて重複説明は省略される。
【００１５】
＜発明の実施の形態１＞
本実施の形態に係る遠隔操作システムの構成例を図１に示す。携帯電話端末１は、少なくとも電話機能と遠隔操作の受け付け機能を有する。携帯電話端末１は、例えば、ベーシックフォン、フィーチャーフォン、スマートフォン、又は電話機能を有するタブレットＰＣである。携帯電話端末１は、ネットワーク６を介して電話端末５と電話することができる。電話端末５の回線には、サポート端末３を使用するサポーターと通話可能な電話番号が割り当てられている。また、携帯電話端末１は、ネットワーク４を介してデータ通信を行うことができる。携帯電話端末１が提供する電話機能は、音声電話でもよいし、ビデオ電話（テレビ電話）であってもよい。また、携帯電話端末１が提供する電話機能は、ＩＰ電話ソフトウェアを用いて提供されるソフトフォン機能であってもよい。ソフトフォン機能は、インターネット電話又はボイスチャットと呼ばれることもある。
【００１６】
仲介サーバ２は、ネットワーク４を介して携帯電話端末１及びサポート端末３と接続することで、サポート端末３による携帯電話端末１の遠隔操作を仲介する。仲介サーバ２は、一般的なコンピュータで構成すればよい。
【００１７】
サポート端末３は、携帯電話端末、又はパーソナルコンピュータ等の通信端末である。サポート端末３は、操作ボタン、タッチパネル、マウス、キーボード、マイクロフォン、カメラ等の入力デバイス、ディスプレイ、スピーカ等の出力デバイス、無線又は有線通信デバイスを有する。
【００１８】
ネットワーク４及び６は、ＩＰネットワーク等のデータ転送網であり、例えば、携帯電話事業者の無線アクセスネットワーク及びパケットコアネットワーク、ＩＰ専用線、公衆インターネットを含む。
【００１９】
なお、図１に示された構成は一例に過ぎない。例えば、図１では、サポート端末３による携帯電話端末１の遠隔操作が仲介サーバ２を介して行われる例を示している。一般的に、携帯電話端末１及びサポート端末３は、ネットワーク４に接続するたびにアドレスが変わるため、直接的に互いのアドレスを特定する方法が無い。したがって、仲介サーバ２が利用されている。しかしながら、少なくとも仲介サーバ２を介して携帯電話端末１及びサポート端末３の間で直接的にデータ送受信可能になった後、サポート端末３による携帯電話端末１の遠隔操作は、仲介サーバ２を経由せずに、携帯電話端末１とサポート端末３との間のＰ２Ｐ（Peer to Peer）通信によって行われてもよい。また、少なくともサポート端末３のアドレスが固定的である場合、又はＤＮＳ（Domain Name System）等のアドレス解決サービスが利用可能である場合は、仲介サーバ２を利用しなくてもよい。また、ネットワーク４及び６は、一部又は全てが共通のネットワークであってもよい。また、サポート端末３及び電話端末５は、統合された１つのコンピュータ端末であってもよい。
【００２０】
さらに、本実施の形態に係る携帯電話端末１は、遠隔操作が許可される所定の通話相手との間で電話が開始されたことを条件としてサポート端末３からの遠隔操作を受け付け可能とし、当該所定の通話相手との電話が終了したことを条件としてサポート端末３からの遠隔操作の受け付けを停止する。以下では、携帯電話端末１の構成及び動作について詳細に説明する。
【００２１】
図２は、携帯電話端末１の構成例を示すブロック図である。なお、図２では、本実施の形態における主要な要素のみを図示している。無線通信部１０は、無線ネットワークに接続して無線通信を行う。無線ネットワークは、例えば、Ｗ−ＣＤＭＡ（Wideband Code Division Multiple Access）、ＬＴＥ（Long Term Evolution）、モバイルＷｉＭａＸ等のセルラ通信システムの無線アクセスネットワーク、又は無線ＬＡＮ（Local Area Network）である。無線通信部１０は、送信データに対する伝送路符号化、インタリービング、変調（送信シンボルマッピング）、周波数アップコンバージョン、信号増幅等の各処理を行って送信信号を生成する。また、無線通信部１０は、アンテナによる受信信号に対して信号増幅、周波数ダウンコンバージョン、復調、誤り訂正復号等の各処理を行って受信データを生成する。
【００２２】
電話機能部１１は、音声コーデック機能を有し、アナログ音声信号の圧縮符号化と、符号化音声データに対する伸張処理を行う。電話機能部１１は、スピーカ（不図示）及びマイク（不図示）と接続される。さらに、電話機能部１１は、ユーザーによる操作の受け付け（例えば通話相手の電話番号を指定する操作の受け付け）を行い、音声通話を開始するための通信プロトコル処理を行う。
【００２３】
遠隔操作機能部１２は、携帯電話端末１に対するサポート端末３からの遠隔操作を受け付ける。サポート端末３によって行われる携帯電話端末１の遠隔操作は、携帯電話端末１に対する入力操作を行うこと、携帯電話端末１の表示画面をモニタすること、携帯電話端末１に記憶された設定内容を変更すること、及び携帯電話端末１のメモリにデータを転送すること、のうち少なくとも１つを含む。遠隔操作機能部１２は、サポート端末３又は仲介サーバ２から送られる遠隔操作要求を含むデータを、無線通信部１０を介して受信する。そして、遠隔操作機能部１２は、サポート端末３又は仲介サーバ２からの要求に応じて、データ収集、端末１に対する設定変更処理、サポート端末３又は仲介サーバ２へのデータ送信等を行う。
【００２４】
制御部１３は、遠隔操作機能部１２による遠隔操作の受け付け開始及び停止を制御する。具体的には、制御部１３は、所定の通話相手との間で電話機能部１１を用いた電話が開始されたことを条件として、サポート端末３又は仲介サーバ２による遠隔操作を受け付け可能とする。また、制御部１３は、所定の通話相手との電話が終了したしたことを条件として遠隔操作の受け付けを停止する。典型的には、所定の通話相手は、サポーターとすればよい。しかしながら、所定の通話相手は、サポーター以外の通話相手であってもよい。携帯電話端末１は、所定の通話相手の電話番号、ユーザー名、又はメールアドレス等の電話による通話開始に必要な情報を、所定の通話相手であることを示す許可情報と関連付けて記録しておけばよい。
【００２５】
遠隔操作機能部１２による遠隔操作の受け付けを開始する場合、制御部１３は、遠隔操作機能部１２に対して開始要求を出力すればよい。遠隔操作機能部１２は、開始要求に応じて遠隔操作の受け付けを開始すればよい。遠隔操作の受け付けは、例えば、受け付けのための通信ポート（e.g. ＴＣＰ（Transmission Control Protocol）ポート）を開放することによって行えばよい。また、遠隔操作機能部１２による遠隔操作の受け付けを開始する場合、制御部１３は、遠隔操作機能部１２に対して停止要求を出力すればよい。遠隔操作機能部１２は、停止要求に応じて通信ポートを閉じることで遠隔操作の受け付けを停止すればよい。
【００２６】
以上に述べたように、本実施の形態に係る携帯電話端末１は、所定の通話相手との間で電話が行われているか否かに応じて、遠隔操作の受け付けの開始と停止を自動的に切り替える。言い換えると、本実施の形態に係る携帯電話端末１は、遠隔操作が許可される所定の通話相手との間で電話が開始されたことを条件としてサポート端末３からの遠隔操作を受け付け可能とし、当該所定の通話相手との電話が終了したことを条件としてサポート端末３からの遠隔操作の受け付けを停止する。このため、携帯電話端末１は、遠隔操作の開始が必要とされる場合、つまり所定の通話相手（典型的にはサポーター）との通話が行われている場合に、選択的かつ自動的に遠隔操作を受け付けることができる。したがって、携帯電話端末１は、端末１に対する遠隔操作の開始及び停止をユーザーの手を過度に煩わすことなく適切に行うことができる。
【００２７】
以下では、制御部１３による遠隔操作の受け付け開始手順及び停止手順の具体例について説明する。図３は、遠隔操作の受け付け開始手順の具体例を示すフローチャートである。ステップＳ１０では、制御部１３は、電話機能部１１による電話中であるか否かを判定する。具体的には、制御部１３は、電話機能部１１による発呼又は電話機能部１１への着呼に基づく電話の開始を検知すればよい。電話中である場合（ステップＳ１０でＹＥＳ）、制御部１３は、通話相手が所定の通話相手（図３の例ではサポーター）であるかを判定する（ステップＳ１１）。通話相手が所定の通話相手である場合（ステップＳ１１でＹＥＳ）、制御部１３は、遠隔操作機能部１２による遠隔操作機能を開始することによって、サポート端末３又は仲介サーバ２による遠隔操作を受け付け可能とする。
【００２８】
図４は、遠隔操作の受け付け停止手順の具体例を示すフローチャートである。ステップＳ２０では、制御部１３は、電話機能部１１による電話が終了したか否かを判定する。具体的には、制御部１３は、ユーザーの操作に応じた電話機能部１１の終話処理、又は通話相手に起因する通信切断に応じた電話機能部１１の終話処理を検知すればよい。電話が終了した場合（ステップＳ２０でＹＥＳ）、制御部１３は、遠隔操作を実行中であるか、言い換えると遠隔操作機能部１２による遠隔操作機能が実行されているか、を判定する（ステップＳ２１）。遠隔操作機能が実行されている場合（ステップＳ２１でＹＥＳ）、制御部１３は、遠隔操作機能部１２による遠隔操作機能を停止することによって、サポート端末３又は仲介サーバ２による遠隔操作の受け付けを停止する。
【００２９】
本実施の形態で説明した制御部１３による遠隔操作の受け付け開始及び停止の処理は、ASIC（Application Specific Integrated Circuit）を含む半導体処理装置を用いて実現してもよい。また、これらの処理は、マイクロプロセッサ、DSP（Digital Signal Processor）等のコンピュータにプログラムを実行させることによって実現してもよい。具体的には、図３及び４に示したアルゴリズムをコンピュータに行わせるための命令群を含む１又は複数のプログラムを作成し、当該プログラムをコンピュータに供給すればよい。
【００３０】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３１】
ここで、携帯電話端末１のより具体的な構成例を図５に示す。図５に示した無線通信部１０は、ＲＦ（Radio Frequency）部１００及びベースバンド信号処理部１０１を含む。ＲＦ部１００は、アンテナから送信されるアナログ送信信号及びアンテナによって受信されるアナログ受信信号に対するアナログ信号処理（増幅及び周波数変換）を行う。ベースバンド信号処理部１０は、後述する音声コーデック部１１１又はマイクロコントローラ１３１から受信した送信データに対する伝送路符号化、インタリービング、変調を含む信号処理を行い、この信号処理により得られた送信ベースバンド信号をＲＦ部１００に出力する。また、ベースバンド信号処理部１０は、ＲＦ部１００から受信した受信ベースバンド信号に対する復調、デインタリービング、誤り訂正復号を含む信号処理を行い、この信号処理により得られた受信データ列を音声コーデック部１１１又はマイクロコントローラ１３１に出力する。
【００３２】
図５に示した電話機能部１１は、音声コーデック部１１１、スピーカ１１２、及びマイク１１３を含む。音声コーデック部１１１は、ベースバンド信号処理部１０１から符号化されたデジタル音声信号を受信し、これを伸張する。伸張処理によって得られたデジタル音声信号は、ＤＡコンバータ（ＤＡＣ）によってアナログ信号に変換された後にスピーカ１１２に送られる。また、音声コーデック部１１１は、マイク１１３によって収音された音声信号をＡＤコンバータ（ＡＤＣ）を介して受信し、デジタル音声信号に対する圧縮符号化を行う。
【００３３】
マイクロコントローラ１３１は、マイクロプロセッサであり、不揮発性記憶部１０２に格納されたＯＳ（Operating System）１３０、電話アプリケーションプログラム１１０、及び遠隔操作アプリケーションプログラム１２０を実行する。なお、不揮発性記憶部１０２は、例えば、フラッシュメモリ、若しくはハードディスクドライブ、又はこれらの組合せである。マイクロコントローラ１３１は、プログラムを実行することによって、（ａ）無線通信部１０に関するプロトコル処理、（ｂ）電話機能部１１に関するプロトコル処理、（ｃ）電話機能部１１に関するユーザーとの対話処理、（ｄ）遠隔操作機能部１２に関する遠隔操作の受け付け処理、及び（ｅ）制御部１３に関する遠隔操作の受け付け開始・停止の制御処理、を行う。
【００３４】
例えば、電話アプリケーションプログラム１１０を実行するマイクロコントローラ１３１は、端末１が有するディスプレイ（不図示）にユーザーインタフェース画面を表示する。ユーザーは、表示されたユーザーインタフェース画面を用いて電話番号を入力して電話をかけたり、着信している電話を受けて通話を開始したりすることができる。
【００３５】
また、遠隔操作アプリケーションプログラム１２０を実行するマイクロコントローラ１３１は、サポート端末３又は仲介サーバ２からの要求を受信し、要求に応じた操作を実行する。例えば、遠隔操作アプリケーションプログラム１２０を実行するマイクロコントローラ１３１は、ＷＥＢサーバ機能を提供し、サポート端末３又は仲介サーバ２からのＨＴＴＰ（Hypertext Transfer Protocol）リクエストを受け付けてもよい。コントローラ１３１は、サポート端末３又は仲介サーバ２からのＨＴＴＰリクエストに含まれるパラメータに従って端末１の設定変更などの遠隔操作に関する処理を実行すればよい。
【００３６】
＜発明の実施の形態２＞
本実施の形態では上述した発明の実施の形態１にかかる遠隔操作システムの変形例について説明する。図６は、本実施の形態に係る携帯電話端末１の構成例を示すブロック図である。本実施の形態に係る携帯電話端末１は、遠隔操作が許可されるか否かを示す許可情報と電話番号とを関連付ける電話帳データ２００を保持する。制御部１３として機能するマイクロコントローラ１３１は、電話の発呼又は着呼に応じて電話帳データ２００にアクセスする。そして、マイクロコントローラ１３１は、電話機能部１１による通話相手の電話番号が遠隔操作が許可されることを示す許可情報と関連付けて電話帳データ２００に記録されている場合に、遠隔操作の受け付けを開始する。遠隔操作の受け付け開始は、例えば、遠隔操作アプリケーションプログラム１２０を起動し、当該プログラムを実行可能状態とすることによって行えばよい。また、遠隔操作の受け付け開始は、既に実行可能状態にある遠隔操作アプリケーションプログラム１２０に対して通信ポートを開放することによって行ってもよい。
【００３７】
図７は、電話帳データ２００に含まれるエントリの具体例を示す図である。図７の例では、名前、電話番号、メールアドレス、及びサポーター登録情報が関連付けて記録されている。図７に示したサポーター登録情報は、このエントリに対応する相手による遠隔操作を許可するか否かを示す「許可情報」に対応する。図７の例では、TRUE及びFALSEの真理値（論理値）によって遠隔操作の許可又は禁止が示されている。
【００３８】
図８は、携帯電話端末１による遠隔操作要求の処理手順の具体例を示すフローチャートである。ステップＳ３０では、遠隔操作機能部１２として機能するマイクロコントローラ１３１は、遠隔操作要求（例えばＨＴＴＰリクエスト）の待ち受けを行う。ステップＳ３１では、マイクロコントローラ１３１は、到着した遠隔操作要求の内容を解析する。ステップＳ３２では、マイクロコントローラ１３１は、遠隔操作要求の解析結果に応じて、要求された操作を実施する。例えば、設定データ又は電話帳データ等の更新を要求された場合、マイクロコントローラ１３１は、携帯電話端末１が保持しているデータの書き換えを実行する。
【００３９】
ステップＳ３３では、マイクロコントローラ１３１は、遠隔操作要求に対する応答（例えばＨＴＴＰレスポンス）をサポート端末３又は仲介サーバ２に対して無線通信部１０を介して送信する。遠隔操作要求に対する応答は、遠隔操作要求に対する処理結果を示す。要求に応じた処理が正常に終了した場合は、マイクロコントローラ１３１は、正常処理を示す応答（例えば成功を示すヘッダーを含むＨＴＴＰレスポンス）を送信すればよい。また、要求に応じた処理に異常があった場合は、マイクロコントローラ１３１は、エラーメッセージを含む応答を送信すればよい。
【００４０】
図９は、遠隔操作要求に含まれる情報の一例として、電話帳へのエントリの追加を求める遠隔操作要求に含まれる情報を示している。図９の例は、名前、電話番号、及びメールアドレスを含む１エントリの追加要求である。この遠隔操作要求をＨＴＴＰリクエストによって行う場合、サポート端末３又は仲介サーバ２は、以下に示すようなテキストメッセージを含むＨＴＴＰリクエストを送信すればよい。
POST/contacts/add
name=CCCC 
tel=090********
email=cccc@dddd.com
【００４１】
本実施の形態によれば、電話帳データにおいて事前にサポーターを指定しておくことによって、ユーザーとサポーターの間の電話と連付けて遠隔操作の受け付け開始及び停止を自動的に制御できる。したがって、ユーザーは、サポーターに電話をかけるだけでよく、その他の特別な操作を行うことなく遠隔サポートを受けることが可能となる。
【００４２】
本実施の形態で述べた携帯電話端末１による遠隔操作の受け付け開始及び停止の制御は、発明の実施の形態１で述べたのと同様に、コンピュータにプログラムを実行させることによって実現してもよい。
【００４３】
さらに、本発明は上述した実施の形態のみに限定されるものではなく、既に述べた本発明の要旨を逸脱しない範囲において本発明のスコープ内で当業者が理解し得る種々の変更が可能であることは勿論である。
【００４４】
この出願は、２０１１年５月１８日に出願された日本出願特願２０１１−１１１０１３を基礎とする優先権を主張し、その開示の全てをここに取り込む。
【符号の説明】
【００４５】
１  携帯電話端末
２  仲介サーバ
３  サポート端末
４  ネットワーク
５  電話機
６  ネットワーク
１０  無線通信部
１１  電話機能部
１２  遠隔操作機能部
１３  制御部
１００  ＲＦ部
１０１  ベースバンド信号処理部
１０２  不揮発性記憶部
１１０  電話アプリケーション
１１１  音声コーデック部
１１２  スピーカ
１１３  マイク
１２０  遠隔操作アプリンケーション
１３０  オペレーティングシステム
１３１  マイクロコントローラ
２００  電話帳データ
【図１】
2012157165.tif 000003
【図２】
2012157165.tif 000004
【図３】
2012157165.tif 000005
【図４】
2012157165.tif 000006
【図５】
2012157165.tif 000007
【図６】
2012157165.tif 000008
【図７】
2012157165.tif 000009
【図８】
2012157165.tif 000010
【図９】
2012157165.tif 000011
【手続補正書】
【提出日】平成25年10月7日(2013.10.7)
【手続補正２】
【補正対象書類名】特許請求の範囲
【補正対象項目名】請求項９
【補正方法】変更
【補正の内容】
【請求項９】
請求項５〜８のいずれか１項に記載の方法をコンピュータに行わせるためのプログラム。
【国際調査報告】
2012157165.tif 000012
2012157165.tif 000013
2012157165.tif 000014